(57)【要約】【課題】作業性と配置空間の利用の有効性との両立を可能とさせること。【解決手段】着脱可能な第１パネル２２及び第２パネル２３は、同一の外形を有し、且つ、同一の位置に固定用のネジ挿通孔２７を有している。更に、下部ハウジング４の内側から、電源ＯＮ／ＯＦＦスイッチ２４及び電源コネクタ２６とそれぞれ接続する電源スイッチ端子２０及び電源コネクタ端子１９は、下部ハウジング２の中心を基準として点対称に配置されている。すなわち、電源ＯＮ／ＯＦＦスイッチ２４を含む操作部２５が設けられた第１パネル２２と、電源コネクタ２６が設けられた第２パネル２３とに、互換性をもたせる。【選択図】図３
2008047365.tif 000002
【特許請求の範囲】
【請求項１】
内部が上部と下部とに仕切られたハウジングを有する光源装置であって、
前記ハウジングの上部に設けられ、ランプを収容する上部ハウジングと、
前記ハウジングの下部に設けられ、前記ランプに電力を供給するためのキャパシタを収容する下部ハウジングとを備え、
前記下部ハウジングの一面は、電源スイッチを含む操作部が設けられた着脱可能な第１パネルから構成され、
前記下部ハウジングの前記一面に対向する他面は、外部から電源供給を行うための電源コネクタが設けられた着脱可能な第２パネルから構成され、
前記第１パネルと前記第２パネルとは、同一の外形を有し、同一の位置に固定用のネジ挿通孔を有し、
前記第１パネルの内側から前記電源スイッチと電気的に接続する電源スイッチ端子と、前記第２パネルの内側から前記電源コネクタと電気的に接続する電源コネクタ端子とは、前記下部ハウジングの中心を基準として対称に配置されることを特徴とする光源装置。
【請求項２】
前記ランプはフラッシュランプであり、前記フラッシュランプに結合されるソケットをさらに備え、前記ソケットはトリガ回路を含むことを特徴とする請求項１記載の光源装置。
【発明の詳細な説明】
【技術分野】
【０００１】
本発明は、光源装置に関するものである。
【背景技術】
【０００２】
ランプと、該ランプを点灯させるための装置各部とがハウジングの内部に配置された光源装置が知られている（例えば、特許文献１を参照）。このような光源装置のハウジング外面には、光を外部に出射するための光出射口、電源ＯＮ／ＯＦＦスイッチなどユーザからの動作指示を入力されるための操作部、及び外部から電源を供給されるための電源コネクタなどが設けられる。また、占有空間のバランス及び使用上の利便性を図り、上記操作部と電源コネクタとは、ハウジングの外面のうち対向する両面に、それぞれ配置されることが多い。
【特許文献１】特許第２７５７８６６号公報
【発明の開示】
【発明が解決しようとする課題】
【０００３】
ところで、光源装置が使用される際の状況によって、ハウジングの外面に設けられる装置各部の好ましい配置パターンが異なる場合がある。例えば、光出射口と操作部とをハウジングの或る一面に設け、電源コネクタを該一面に対向する他面に設けるような配置パターンが好ましい場合もあれば、光出射口と電源コネクタとを同じ面に設け、操作部を対向する他面に設けるような配置パターンが好適な場合もある。このことは、例えば、光源装置と外部電源とユーザとの間の相対位置によるものであり、作業性と配置空間の有効利用の観点から好ましい形態が選択される。
【０００４】
一方、従来の光源装置においては、例えば特許文献１に示されるように、ハウジングを構成する各面に設けられた所望の構成のみの配置パターンを変更させることはできなかった。このため、作業性を重視した場合の光源装置の配置が、配置空間の有効利用の観点からすると好ましい配置であるとはいえない場合や、またその逆の場合も生じる場合があり、作業性と配置空間の利用の有効性との両立が困難であった。
【０００５】
そこで、本発明は上記に鑑みてなされたもので、作業性と配置空間の利用の有効性との両立が可能な光源装置を提供することを目的とする。
【課題を解決するための手段】
【０００６】
上記課題を解決するために、本発明の光源装置は、内部が上部と下部とに仕切られたハウジングを有する光源装置であって、ハウジングの上部に設けられ、ランプを収容する上部ハウジングと、ハウジングの下部に設けられ、ランプに電力を供給するためのキャパシタを収容する下部ハウジングとを備え、下部ハウジングの一面は、電源スイッチを含む操作部が設けられた着脱可能な第１パネルから構成され、下部ハウジングの一面に対向する他面は、外部から電源供給を行うための電源コネクタが設けられた着脱可能な第２パネルから構成され、第１パネルと第２パネルとは、同一の外形を有し、同一の位置に固定用のネジ挿通孔を有し、第１パネルの内側から電源スイッチと電気的に接続する電源スイッチ端子と、第２パネルの内側から電源コネクタと電気的に接続する電源コネクタ端子とは、下部ハウジングの中心を基準として対称に配置されることを特徴とする。
【０００７】
このような本発明の光源装置によれば、着脱可能な第１パネル及び第２パネルは、同一の外形を有し、且つ、同一の位置に固定用のネジ挿通孔を有している。更に、下部ハウジングの内側から電源スイッチ及び電源コネクタとそれぞれ接続する電源スイッチ端子及び電源コネクタ端子は、下部ハウジングの中心を基準として対称に配置されている。すなわち、電源スイッチを含む操作部が設けられた第１パネルと、電源コネクタが設けられた第２パネルとは、互換性を有しているといえる。
【０００８】
このため、例えば、下部ハウジングの或る一面（以下、「第１面」という。）に操作部を含む第１パネルが配置され、該一面に対向する他面（以下、「第２面」という。）に電源コネクタを含む第２パネルが配置された構成から、作業性等の問題から、その逆構成、つまり第１面に電源コネクタを含む第２パネルを配置し、第２面に操作部を含む第１パネルを配置する構成に変更する際には、着脱性及び互換性のある第１パネルと第２パネルとを切り替えるだけで済むために、光源装置自体の配置を変更する必要はない。
【０００９】
具体的にいうと、例えば、下部ハウジングの第１面と同じ面上の上部ハウジングの一面に、光出射口が設けられていたとする。言い換えれば、この場合の光源装置は、光出射口と操作部とが同じ面（第１面）上に配置され、電源コネクタが対向する他面（第２面）に配置された構成となっている。ここで、作業性等の問題から、光出射口と電源コネクタとを同じ面（第１面）上に配置し、操作部を対向する他面（第２面）に配置する構成に変更する必要が生じた場合には、着脱性及び互換性のある第１パネルと第２パネルとを交換して配置するだけで、光源装置自体の配置を変更することなく上記変更を実現することができる。したがって、本発明により、作業性と配置空間の利用の有効性との両立が可能となる。
【００１０】
また、上記ランプはフラッシュランプであり、上記フラッシュランプに結合されるソケットをさらに備え、上記ソケットはトリガ回路を含むようにしても良い。
【００１１】
このように、ランプがフラッシュランプであり、フラッシュランプに結合されるソケットをさらに備え、ソケットがトリガ回路を含む場合には、特にキャパシタからの給電に最適性が求められる。このため、ハウジングの外面に設けられる装置各部の配置パターンを異ならせる必要が生じたとしても、フラッシュランプとトリガ回路とキャパシタとの間の相対位置は変更させないことが好適である。一方、本発明においては、上記相対位置を変更させることなく、着脱性及び互換性のある第１パネルと第２パネルとを交換して配置するだけで、ハウジングの外面に設けられる装置各部の配置パターンを異ならせることができる。したがって、本発明は、ランプがフラッシュランプであり、上記フラッシュランプに結合されるソケットをさらに備え、ソケットがトリガ回路を含む場合に、特に有用である。
【発明の効果】
【００１２】
本発明によれば、作業性と配置空間の利用の有効性との両立が可能となる。
【発明を実施するための最良の形態】
【００１３】
以下、添付図面を参照して本発明にかかる光源装置の好適な実施形態を詳細に説明する。なお、図面の説明において同一の要素には同一の符号を付し、重複する説明を省略する。また、図面の寸法比率は、説明のものと必ずしも一致していない。
【００１４】
図１は、本実施形態のフラッシュ光源装置１の外面構成を示す斜視図である。フラッシュ光源装置１のハウジング２は、図１に示すように、上部ハウジング３と下部ハウジング４との２つの部分からなる。上部ハウジング３は、その一面に光出射口７を有する。以下、光出射口７の位置する光出射面をハウジング２の前面という。このことに対応付けて、上部ハウジング３は、前面３ａ、背面３ｂ、左側面３ｃ、右側面３ｄ、上面３ｅからなる。また、下部ハウジング４は、前面４ａ、背面４ｂ、左側面４ｃ、右側面４ｄ、底面４ｅからなる。ただし、これらの各面の前後左右等の名称は説明のため便宜的に付したものであって、フラッシュ光源装置１における前後方向など、実際の装置構成や機能に必ずしもよるものではない。
【００１５】
フラッシュ光源装置１は、上部ハウジング３及びその内部に設置された各要素から構成されて、光を出射させる光源部５と、下部ハウジング４及びその内部に設置された各要素から構成されて、装置を動作させる駆動部６と、を備えている。
【００１６】
光源部５においては、上部ハウジング３の内部に、キセノンフラッシュランプ（以下、「ＸｅＦランプ」という。）、トリガソケット（トリガ回路を含むソケット）、反射ミラー等が配置されており、フラッシュ光源装置１の光学系が構成されている。上部ハウジング３の前面３ａには、生成された光を外部に出射するための略円形の開口部分である光出射口７が設置されている。図１においては、光出射口７にはファイバ差込口７ａが取り付けられており、このファイバ差込口７ａにライトガイドとしてファイバ８が接続されている。これによって、フラッシュ光源装置１から外部への光の出射が行われる。また、上部ハウジング３の背面３ｂ側には、蓋部９が設けられている。この蓋部９は、上部ハウジング３の内部に配置された装置各部の交換やメンテナンス時に、上部ハウジング３の内部を開放するためのものである。
【００１７】
一方、駆動部６においては、下部ハウジング４の内部に、光源部５の装置各部を駆動制御するための駆動装置が格納されており、フラッシュ光源装置１の駆動系が構成されている。キャパシタ等を含んで構成される駆動装置、及び下部ハウジング４の形状等については、後述する。
【００１８】
引き続いて、フラッシュ光源装置１の内部構成全般について、図２を参照しながら説明する。図２は、フラッシュ光源装置１の内部構成について、上部ハウジング３の右側面３ｄ及び光学ボックス１１の一部等を外した状態の右側面概略図である。
【００１９】
図２を参照すると、上部ハウジング３の内部には、装置前方に、前面１１ａ、背面１１ｂ、左側面、右側面、上面及び底面からなる光学ボックス１１が配置されている。光学ボックス１１の前面１１ａには、上部ハウジング３の前面３ａに設けられた光出射口７に向けて光を通過させるための略円形状の出射開口部１１ｃが設けられている。出射開口部１１ｃ及び光出射口７は、いずれも光出射の光軸（一点鎖線で表示）を中心として形成されている。
【００２０】
光学ボックス１１の内部には、生成した光を放射するためのＸｅＦランプ１２と反射ミラー１３とが配置されている。ＸｅＦランプ１２は、その放射側を光学ボックス１１の背面１１ｂに設けられたランプ挿入口１１ｄを通して光学ボックス１１内に配置されることができる。ＸｅＦランプ１２は、出射開口部１１ｃ及び光出射口７に接続されたファイバ８に最大光量が得られるように最適に位置調整されて、光学ボックス１１内に配置される。
【００２１】
反射ミラー１３としては、例えば楕円集光ミラーなどの所定形状を有するとともに、その内面に反射面が形成されたミラーが用いられる。ＸｅＦランプ１２から放射された光は反射ミラー１３によって反射・集光され、出射開口部１１ｃを介して光出射口７に入射される。光出射口７を経た光は、ファイバ差込口７ａに接続されたファイバ８に入射されて、外部に出射される。なお、図示はしないが、ＸｅＦランプ１２と出射開口部１１ｃとの間にシャッターを設け、このシャッターによって光の出射のＯＮ／ＯＦＦが切り換えられるようにしてもよい。また、光軸上には、シャッターに加えて、光量絞りや光透過フィルタなどの要素を必要に応じて更に設置しても良い。
【００２２】
光学ボックス１１は、上部ハウジング３から所定の間隔をあけて設置されており、その間隔による空間は、空気流によって装置内部の各部を冷却するための通気路として用いられる。
【００２３】
ＸｅＦランプ１２と同軸方向に延びる例えば円筒状のトリガソケット１４は、一端が、ＸｅＦランプ１２の放射反対側の端部に着脱自在に嵌め込まれることにより、駆動部６からの電力をＸｅＦランプ１２に供給することができる。また、トリガソケット１４は、ケーブル１４ａ、ソケット側コネクタ１５、駆動部側コネクタ１６を介して、駆動部６と電気的に接続されている。
【００２４】
仕切り板１７は、フラッシュ光源装置１の内部を光源部５と駆動部６とに分離している。仕切り板１７上には、駆動部側コネクタ１６が設けられている。駆動部６からの電源や制御信号を光源部５内の装置各部に伝えるための駆動部側コネクタ１６は、ソケット側コネクタ１５と着脱自在に、仕切り板１７上に取り付けられている。また、仕切り板１７上には通気孔（図示せず）が設けられており、外気取込口１０から下部ハウジング４内部に取込まれた外気が上部ハウジング３内に流入されるための通気路として用いられる。なお、駆動部６とトリガソケット１４とが、駆動部側コネクタ１６を設けずに直接に接続されていても良い。
【００２５】
引き続いて、下部ハウジング４の内部構成および形状等について、図３〜６を参照しながら詳細に説明する。図３は、下部ハウジング４の内部構成について、ハウジング２等を一部破断して示す概略斜視図である。
【００２６】
図３に示されるように、下部ハウジング４内部の駆動部６は、少なくとも、下部ハウジング４の底面４ｅに固定された駆動装置１８、電源コネクタ端子１９、電源スイッチ端子２０を備えて構成される。なお、図３においては、駆動装置本体部１８ａと、キャパシタ１８ｂと、これらを結ぶ接続ケーブル１８ｃとして、駆動装置１８を模式的に示しているが、駆動装置本体部１８ａが複数の装置から構成されて設置されていても良い。例えば、駆動装置本体部１８ａは、各部へ電流を供給するための電源部、各部の駆動を行うための駆動回路、及びそれらを制御するためのコンピュータ等を有して構成されても良い。また、電源コネクタ端子１９には、電磁ノイズの影響を抑制するためのノイズフィルタが含まれていても良い。
【００２７】
上記した駆動部６を構成する際には、特にキャパシタ１８ｂからの給電に最適性が求められる。なぜなら、キャパシタ１８ｂは、トリガ回路を含むトリガソケット１４を通じて、フラッシュランプであるＸｅＦランプ１２に大電流を供給するからである。言い換えれば、キャパシタ１８ｂとトリガソケット１４とＸｅＦランプ１２との間の相対位置、及びキャパシタ１８ｂと駆動部側コネクタ１６とを結ぶ接続ケーブル２１の長さ等を、どのようにして構成させるかが、駆動部６を構成する際の重要な問題となる。
【００２８】
図４は、第１パネル２２を示す斜視図である。第１パネル２２は、図１〜３に限っては、下部ハウジング４の前面４ａを構成する。また、図５は、第２パネル２３を示す斜視図である。第２パネル２３は、図１〜３に限っては、下部ハウジング４の背面４ｂを構成する。
【００２９】
図３〜５に示されるように、第１パネル２２には、電源ＯＮ／ＯＦＦスイッチ２４等を含み、ユーザからの動作指示を入力されるための操作部２５が設置されている。一方、第２パネル２３には、外部から電源を供給されるための電源コネクタ２６が設けられている。
【００３０】
第１パネル２２及び第２パネル２３は、ハウジング２を構成する他の部分に対して着脱可能に設けられている。本実施形態においては、少なくとも、下部ハウジング４の右側面４ｄ、上部ハウジング３の右側面３ｄ、上部ハウジング３の上面３ｅ、上部ハウジング３の左側面３ｃ、及び下部ハウジング４の左側面４ｃが、一体化された構成（以下、この一体化されたものを「ハウジング本体部」という。）となっている（図１参照）。第１パネル２２及び第２パネル２３は、このハウジング本体部および下部ハウジング４の底面４ｅに対して着脱可能（分離及び装着可能）に設けられている。
【００３１】
また、第１パネル２２と第２パネル２３とは、同一の外形を有している。すなわち、図４〜５に示すように、第１パネル２２の高さ２２Ａと、第２パネル２３の高さ２３Ａとが、略等しい。また、第１パネル２２の幅２２Ｂと、第２パネル２３の幅２３Ｂとが、略等しい。
【００３２】
また、第１パネル２２及び第２パネル２３には、仕切り板接続部２２Ｅ，２３Ｅ及びハウジング接続部２２Ｆ，２３Ｆがそれぞれ形成されている。仕切り板接続部２２Ｅ，２３Ｅは、第１パネル２２及び第２パネル２３のそれぞれが、仕切り板１７に例えばネジ止め等の方法によって固定されるためのものである。仕切り板接続部２２Ｅの幅２２Ｃと、仕切り板接続部２３Ｅの幅２３Ｃとが、略等しい。また、ハウジング接続部２２Ｆ，２３Ｆは、第１パネル２２及び第２パネル２３のそれぞれが、下部ハウジング４に例えばネジ止め等の方法によって固定されるためのものである。ハウジング接続部２２Ｆの幅２２Ｇと、ハウジング接続部２３Ｆの幅２３Ｇとが、略等しい。また、仕切り板接続部２２Ｅ，２３Ｅ及びハウジング接続部２２Ｆ，２３Ｆには、それぞれ固定用のネジ挿通孔２７ａ，２７ｂ，２７ｃ，２７ｄ，２７ｅ，２７ｆ等が形成されている。以下、ネジ挿通孔２７ａ，２７ｂ，２７ｃ，２７ｄ，２７ｅ，２７ｆ等を総称して、ネジ挿通孔２７という。
【００３３】
ここで、このネジ挿通孔２７の形成された位置が、第１パネル２２及び第２パネル２３において同一である。すなわち、図４〜５に示すように、第１パネル２２の仕切り板接続部２２Ｅの一端とネジ挿通孔２７ａとの間の距離２２Ｄ１と、第２パネル２３の仕切り板接続部２３Ｅの一端とネジ挿通孔２７ｄとの間の距離２３Ｄ１とが、略等しい。また、ネジ挿通孔２７ａとネジ挿通孔２７ｂとの間の距離２２Ｄ２と、ネジ挿通孔２７ｄとネジ挿通孔２７ｅとの間の距離２３Ｄ２とが、略等しい。また、ネジ挿通孔２７ｂと第１パネル２２の仕切り板接続部２２Ｅの他端との間の距離２２Ｄ３と、ネジ挿通孔２７ｅと第２パネル２３の仕切り板接続部２３Ｅの他端との間の距離２３Ｄ３とが、略等しい。更に、ネジ挿通孔２７ｃとハウジング接続部２２Ｆの両端間の距離２２Ｄ４，２２Ｄ５と、ネジ挿通孔２７ｆとハウジング接続部２３Ｆの両端間の距離２３Ｄ４，２３Ｄ５とが、それぞれ略等しい。
【００３４】
また、図３に示すように、第１パネル２２上の電源ＯＮ／ＯＦＦスイッチ２４は、第１パネル２２の内側に設置された電源スイッチ端子２０と着脱自在に接続される。また、第２パネル２３上の電源コネクタ２６は、第２パネル２３の内側に設置された電源コネクタ端子１９と着脱自在に接続される。電源ＯＮ／ＯＦＦスイッチ２４と電源コネクタ２６とは、電源スイッチ端子２０と電源コネクタ端子１９と接続ケーブル２８とを介して、電気的に接続されている。また、駆動装置本体部１８ａは、電源ＯＮ／ＯＦＦスイッチ２４に対して、電源スイッチ端子２０と接続ケーブル２９とを介して、電気的に接続されている。また、操作部２５の指示部３０や表示部３１などの他の部分に対しても、図示はしないが、同様に必要な配線によって接続されている。
【００３５】
また、電源スイッチ端子２０と電源コネクタ端子１９とは、下部ハウジング４の中心を基準として、点対称に配置されている。ここで、下部ハウジング４の中心とは、底面４ｅの４隅を結ぶ二つの対角線（図３においては二点鎖線で表示）の交点Ａを通り、該二つの対角線と直交する直線ＡＡ（図３においては破線で表示）上の点をいう。すなわち、上記直線ＡＡから電源スイッチ端子２０までの距離と、上記線ＡＡから電源コネクタ端子１９までの距離とは、略等しい。
【００３６】
以上の説明から、第１パネル２２と第２パネル２３とは、互換性を有しているといえる。このため、例えば、下部ハウジング４の前面４ａに第１パネル２２が配置され、前面４ａに対向する背面４ｂに第２パネル２３が配置された構成から、その逆構成、つまり前面４ａに第２パネル２３を配置し、背面４ｂに第１パネル２２を配置する構成に変更する際には、着脱性及び互換性のある第１パネル２２と第２パネル２３とを切り替えるだけで済み、フラッシュ光源装置１自体の配置を変更する必要はない。また、ハウジング２の全体構造自体を別のものとして改めて構成することないので、コストダウンも実現することができる。
【００３７】
具体的にいうと、本実施形態では、例えば図１〜２に示したように、下部ハウジング４の前面４ａと同じ面上の上部ハウジング３の前面３ａに、光出射口７が設けられている。言い換えれば、フラッシュ光源装置１は、光出射口７と操作部２５とが同じ面上に配置され、電源コネクタ２６が対向する他面に配置された構成となっている。ここで、光出射口７と電源コネクタ２６とを同じ面上に配置し、操作部２５を対向する他面に配置する構成に変更する必要が生じた場合には、ハウジング２の全体構造自体を別のものとして改めて構成するまでもなく、着脱性及び互換性のある第１パネル２２と第２パネル２３とを交換して配置するだけで、上記変更を実現することができる。なお、このような変更の必要性は、フラッシュ光源装置１の使用環境において、例えばフラッシュ光源装置１と外部電源とユーザとの間の相対位置によって生じるものである。
【００３８】
図６は、着脱性及び互換性のある第１パネル２２と第２パネル２３とを交換して配置するだけで、上記変更を実現した場合のフラッシュ光源装置１００の外面構成を示す斜視図である。図１に示したフラッシュ光源装置１とは異なり、光出射口７と電源コネクタ２６とが同じ面（前面４ａ）上に配置され、操作部２５が対向する他面（背面４ｂ）に配置された構成に変更されている。この変更は、上述したように、第１パネル２２と第２パネル２３とを交換して配置するだけで、行われたものである。したがって、本実施形態により、フラッシュ光源装置１と比べても装置本体の配置を変更することなく操作部２５と電源コネクタ２６の配置パターンを変更可能とするとともに、構造変更にかかるコストを低減でき、製造効率を向上させることが可能となる。
【００３９】
また、フラッシュランプであるＸｅＦランプ１２、及びトリガ回路を含むトリガソケット１４が用いられる場合には、特にキャパシタ１８ｂからの給電に最適性が求められる。このため、ハウジング２の外面に設けられる装置各部の配置パターンを異ならせる必要が生じたとしても、ＸｅＦランプ１２とトリガソケット１４とキャパシタ１８ｂとの間の相対位置は変更させないことが好適である。一方、本実施形態においては、上記相対位置を変更させることなく、着脱性及び互換性のある第１パネル２２と第２パネル２３とを交換して配置するだけで、ハウジング２の外面に設けられる装置各部の配置パターンを異ならせることができる。したがって、本実施形態は、ランプがフラッシュランプであり、ソケットがトリガ回路を含む場合に、特に有用であるといえる。
【００４０】
以上、本発明の好適な実施形態について説明したが、本発明は上記実施形態に限定されないことは言うまでもない。
【００４１】
例えば、固定用のネジ挿通孔２７は、第１パネル２２と第２パネル２３とにおいて、同一の位置に形成されればよく、その形状や数量に限定されることはない。
【図面の簡単な説明】
【００４２】
【図１】フラッシュ光源装置の外面構成を示す斜視図である。
【図２】フラッシュ光源装置の内部構成を示す右側面概略図である。
【図３】下部ハウジングの内部構成を示す概略斜視図である。
【図４】第１パネルを示す斜視図である。
【図５】第２パネルを示す斜視図である。
【図６】外面構成が変更された場合のフラッシュ光源装置を示す斜視図である。
【符号の説明】
【００４３】
１，１００…フラッシュ光源装置、２…ハウジング、３…上部ハウジング、３ａ…前面、３ｂ…背面、３ｃ…左側面、３ｄ…右側面、３ｅ…上面、４…下部ハウジング、４ａ…前面、４ｂ…背面、４ｃ…左側面、４ｄ…右側面、４ｅ…底面、５…光源部、６…駆動部、７…光出射口、７ａ…ファイバ差込口、８…ファイバ、９…蓋部、１０…外気取込口、１１…光学ボックス、１１ａ…前面、１１ｂ…背面、１１ｃ…出射開口部、１１ｄ…ランプ挿入口、１２…ＸｅＦランプ、１３…反射ミラー、１４…トリガソケット、１４ａ…ケーブル、１５…ソケット側コネクタ、１６…駆動部側コネクタ、１７…仕切り板、１８…駆動装置、１８ａ…駆動装置本体部、１８ｂ…キャパシタ、１８ｃ，２０，２８，２９…接続ケーブル、１９…電源コネクタ端子、２０…電源スイッチ端子、２２…第１パネル、２３…第２パネル、２２Ｅ，２３Ｅ…仕切り板接続部、２２Ｆ，２３Ｆ…ハウジング接続部、２４…電源ＯＮ／ＯＦＦスイッチ、２５…操作部、２６…電源コネクタ、２７…ネジ挿通孔、３０…指示部、３１…表示部。
【図１】
2008047365.tif 000003
【図２】
2008047365.tif 000004
【図３】
2008047365.tif 000005
【図４】
2008047365.tif 000006
【図５】
2008047365.tif 000007
【図６】
2008047365.tif 000008